(57)【要約】【課題】  コンサート等の各種イベントにおけるグッズとして、うちわとともにペンライトが用いられているが、これらを個別に用意して携帯しなければならなかった。そこで、携帯に便利で、取り扱いに優れるとともに、ペンライト機能を備え、従来にない変化に富んだ使用形態を可能とし、ファッション性にも優れたうちわを提案する。【解決手段】  扇部１と柄４とを別体として形成し、扇部１の要と柄４の一端とを着脱自在とし、柄４の他端にストラップ５を設け、柄４を棒状発光体で形成する。【選択図】  図１
0003159868.tif 000002
【実用新案登録請求の範囲】
【請求項１】
扇部１と柄４とを別体として形成し、扇部１の要と柄４の一端とを着脱自在とし、柄４の他端にストラップ５を設け、柄４を棒状発光体で形成したうちわ。
【請求項２】
ＬＥＤを光源とするＬＥＤ電池式の棒状発光体で柄４を形成した請求項１に記載のうちわ。
【請求項３】
柄本体４４を光透過材で筒状に形成し、二液混合の化学発光体４５を柄本体４４内に収納して発光させる棒状発光体で柄４を形成した請求項１に記載のうちわ。
【請求項４】
扇部１の要と柄４の一端との着脱機構を樹脂バックルで形成した請求項１、２又は３に記載のうちわ。
【考案の詳細な説明】
【技術分野】
【０００１】
この考案はうちわ、特にコンサート等の各種イベントで用いるうちわに関するものである。
【背景技術】
【０００２】
うちわは、夏場に涼をとるための生活道具としての用途の他、扇面に商品の図柄や店舗の名入れ等を施して配布するなどの広告・販促の商業的用途に広く使われてきた。その材質は、古来からの竹と紙によるものの他、生産性に優れた樹脂製のもの（ポリうちわ）が多く用いられている。
【０００３】
一方、うちわは、近年ではコンサートを始めとする各種イベントにおけるグッズとして用いられている。各種イベントにおいてうちわを携帯する場合、柄を含む全長が長いためにバッグから柄が突出するなど携帯に不適であり、使用中は手が塞がり、コンサート会場等の人混みの中で取り扱いも不便であった。そこで、出願人は、特許文献１に示す先の出願で、扇部と柄とを別体として形成し、扇部の要と柄の一端とを着脱自在とすることで、携帯に便利で取り扱いに優れたうちわを提案した。
【０００４】
また、コンサートや夜間のイベントでは、会場の雰囲気を盛り上げるために、棒状発光体であるペンライト（ライトスティック）が用いられ、こうしたペンライトとして、ＬＥＤを光源とするＬＥＤ電池式のものと、二液混合の化学発光体のものがある。ＬＥＤ電池式のペンライトは、押しボタンスイッチを押すごとに発光パターンや発光色（マルチカラー）を可変としたものもが使用されている。化学発光体のペンライトは、光透過材で筒状に形成した本体内に、混合して発光作用を生じる二液をアンプル内に封入したもので、使用時に折り曲げ振るなどして二液を混合させて発光させ、所定時間後に発光が停止したら廃棄する使い捨て式である。
【先行技術文献】
【特許文献】
【０００５】
【特許文献１】実用新案登録第３１５７１０６号公報
【考案の概要】
【考案が解決しようとする課題】
【０００６】
このように、コンサート等の各種イベントにおけるグッズとして、うちわとともにペンライトが用いられているが、これらを個別に用意して携帯しなければならず、上記のように、従来のうちわは、携帯に不適であるとともに取り扱いも不便であった。
【０００７】
この考案は、これらの課題を解決することを目的とするもので、携帯に便利で、不要の時に手が塞がることがなく、取り扱いに優れるとともに、ペンライト機能を備え、従来にない変化に富んだ使用形態を可能とし、ファッション性にも優れたうちわを提案することを目的とするものである。
【課題を解決するための手段】
【０００８】
上記の目的を達成するため、この考案のうちわは、扇部１と柄４とを別体として形成し、扇部１の要と柄４の一端とを着脱自在とし、柄４の他端にストラップ５を設け、柄４を棒状発光体で形成するものである。
【０００９】
また、ＬＥＤを光源とするＬＥＤ電池式の棒状発光体で柄４を形成し、又は、柄本体４４を光透過材で筒状に形成し、二液混合の化学発光体４５を柄本体４４内に収納して発光させる棒状発光体で柄４を形成するものである。
【００１０】
また、上記のうちわにおいて、扇部１の要と柄４の一端との着脱機構を樹脂バックルで形成するものである。
【考案の効果】
【００１１】
この考案のうちわは、扇部１の要と柄４の一端とを着脱自在とし、柄４を棒状発光体で形成したので、コンサートや夜間のイベントにおいて、柄４をペンライトとして使用することができる。したがって、従来のペンライトは不要であり、別に用意して携帯する必要がない。このように、ペンライト機能を備えるとともに、柄４を発光させることで極めて印象的で注意を引き、従来にない変化に富んだ使用形態が可能であり、面白味に富んでファッション性にも優れるものである。
【００１２】
また、ＬＥＤを光源とするＬＥＤ電池式の棒状発光体で柄４を形成すれば、点灯、フラッシュ等の発光パターンや発光色を可変とすることができ、電池の交換で永続使用が可能である。化学発光体４５を柄本体４４内に収納して発光させる棒状発光体で柄４を形成すれば、発光色が異なる任意の化学発光体４５を選択、取り替えて使用することができ、うちわの製作コストが安価である。
【００１３】
また、この考案のうちわは、扇部１と柄４とを分離して収納することができ、バッグから柄４が突出することがなく、携帯に便利である。さらに、柄４の他端にストラップ５を設けたので、うちわを首に掛けたり、ズボンのベルトループに通したりするなどして不要の時に手が塞がることがなく、各種イベントの人混みの中で落としたりすることもなく、取り扱いに優れるものである。
【００１４】
また、扇部１の要と柄４の一端との着脱機構を樹脂バックルで形成することで、汎用品の樹脂バックルの適用で製作コストの低減を図ることができるとともに、扇部１と柄４との着脱も容易である。
【図面の簡単な説明】
【００１５】
【図１】この考案の第１実施例で、扇部と柄を分離した状態の平面図。
【図２】扇部と柄を結合した状態から分離させる操作の説明図。
【図３】この考案の第２実施例で、扇部と柄を分離し、柄とストラップを分離した状態の平面図。
【図４】この考案の第３実施例で、扇部と柄を分離した状態の平面図。
【図５】化学発光体の使用方法を示す説明図。
【考案を実施するための形態】
【００１６】
以下にこの考案の実施形態について、図面を用いて具体的に説明する。
【実施例１】
【００１７】
図１、２は、この考案の第１実施例である。このうちわは、コンサート等の各種イベントで用いる樹脂製のうちわで、図１に示すように、扇部１と柄４とが別体で形成され、扇部１と柄４との着脱機構に樹脂バックルが用いられている。樹脂バックルは、扇部１の要に形成した雌バックル体２と、柄４の一端に設けた雄バックル体３とで一対の汎用品で、筒状の雌バックル体２に雄バックル体３を挿入し、雄バックル体３の弾性片３１を雌バックル体２の側部の窓孔２１に係止させて両体２、３を結合させる一般的な構造である。柄４の他端にはストラップ５の締結具５１が取り付けられ、ストラップ５は、同じく雌バックル体６、雄バックル体７とで一対の樹脂バックルにより長さ調節且つ締結自在とされている。
【００１８】
柄４は、ＬＥＤを光源とするＬＥＤ電池式の棒状発光体で形成されている。柄４の基部に押しボタンスイッチ４１が設けられ、その上方にボタン型電池の交換のための蓋４２が形成され、さらに上方に光透過材で筒状に形成した発光部４３が設けられている。この棒状発光体は、押しボタンスイッチ４１を押すごとに、点灯、フラッシュ等に順次切り替わるように発光パターンが可変とされている。
【００１９】
扇部１と柄４の着脱方法を図２に示す。柄４の一端の雄バックル体３を雌バックル体２に挿入すると、弾性片３１が窓孔２１から突出して係止され、扇部１と柄４が容易に離脱することなく一体に結合される。図に示すように、窓孔２１から突出した弾性片３１を側方から押し込めば係止が解除され、柄４を引き抜いて扇部１と柄４とが分離される。
【実施例２】
【００２０】
図３は、この考案の第２実施例である。このうちわは、前例と同様に、扇部１と柄４との着脱機構に樹脂バックルを用いて着脱自在とされ、さらに、柄４の他端に設けた雌バックル体８と、ストラップ５に設けた雄バックル体９の一対の樹脂バックルにより、柄４の他端とストラップ５とが着脱自在とされている。
【００２１】
このうちわは、柄４とストラップ５が着脱自在であるから、長さが異なるストラップ５を用意し、用途に応じて交換して使い分けることができ、扇部１、柄４、ストラップ５を分離し、発光パターンや発光色が異なるＬＥＤ電池式の棒状発光体で形成した柄４に取り替えることもできる。また、柄４を取り外し、ストラップ５の雄バックル体９を雌バックル体２に挿入し、扇部１とストラップ５を直結した使い方も可能とされている。
【実施例３】
【００２２】
図４、５は、この考案の第３実施例である。このうちわも、扇部１と柄４との着脱機構に樹脂バックルを用いて着脱自在とされ、柄４の他端にはストラップ５の締結具５１が取り付けられている。柄本体４４は、透明又は半透明の光透過材で筒状に形成され、柄本体４４の一端に雄バックル体３が取り付けられ、他端の開口に締結具５１の突縁５２が挿脱自在とされ、柄本体４４とストラップ５は分離可能とされている。
【００２３】
図４に示すように、柄本体４４とストラップ５を分離した状態で、二液混合の化学発光体４５を柄本体４４内に収納可能とされている。化学発光体４５を使用時に折り曲げ振るなどして二液を混合させて発光させ、これを柄本体４４内に収納して柄４を発光させる。発光が停止した化学発光体４５は、柄本体４４とストラップ５を分離し、取り出して廃棄し、新たな化学発光体４５を収納すれば、柄４を再び発光させることができる。
【００２４】
以上、実施例の構成を説明したが、この考案のうちわは、扇部１と柄４を分離して柄４をペンライトとして使用することができるとともに、柄４を発光させることで極めて印象的で注意を引き、従来にない変化に富んだ使用形態が可能であり、面白味に富んでファッション性にも優れるので、コンサートやスポーツ観戦、夜間の各種イベントにおけるグッズとして用いて有益である。
【符号の説明】
【００２５】
１  扇部
４  柄
４４  柄本体
５  ストラップ
【図１】
0003159868.tif 000003
【図２】
0003159868.tif 000004
【図３】
0003159868.tif 000005
【図４】
0003159868.tif 000006
【図５】
0003159868.tif 000007